(57)【要約】【課題】スリーブの組み付けに熟練を必要とせず容易な作業となり、さらにはスリーブの再使用が可能な電力ケーブル用プーリングアイを提供する。【解決手段】導体挿入孔１３を有し有底筒状に形成される導体固定部１１を有するスリーブ２と、スリーブ２を組み付けるプーリングアイ本体３と、を備える電力ケーブル用プーリングアイ１において、導体固定部１１の内部且つ導体挿入孔１３の奥側に導体挿入孔１３よりも大きな内径を有する大径部１４を形成し、大径部１４及び導体挿入孔１３の間に段差部１５を形成し、導体挿入孔１３の反対側に大径部１４に貫通する穴部１６を形成し、このようなスリーブ２に対し、大径部１４に挿入されたケーブル導体１０を押し広げる楔５を更に備え、楔５を穴部１６に対して着脱自在な形状に形成する。【選択図】図１
2011234448.tif 000002
【特許請求の範囲】
【請求項１】
導体挿入孔を有し有底筒状に形成される導体固定部を有するスリーブと、前記スリーブを組み付けるプーリングアイ本体と、を備える電力ケーブル用プーリングアイにおいて、
前記導体固定部の内部且つ前記導体挿入孔の奥側に前記導体挿入孔よりも大きな内径を有する大径部を形成し、前記大径部及び前記導体挿入孔の間に段差部を形成し、前記導体挿入孔の反対側に前記大径部に貫通する穴部を形成し、
このような前記スリーブに対し、前記大径部に挿入されたケーブル導体を押し広げる楔を更に備え、
前記楔を前記穴部に対して着脱自在な形状に形成する
ことを特徴とする電力ケーブル用プーリングアイ。
【請求項２】
請求項１に記載の電力ケーブル用プーリングアイにおいて、
前記穴部に雌ネジを形成し、且つ、前記楔に雄ネジを形成する
ことを特徴とする電力ケーブル用プーリングアイ。
【請求項３】
請求項２に記載の電力ケーブル用プーリングアイにおいて、
前記楔を胴体部及び先端部から形成し、
前記胴体部に前記雄ネジを形成し、且つ、前記先端部を、前記大径部に挿入された前記ケーブル導体を押し広げる先細り形状に形成する
ことを特徴とする電力ケーブル用プーリングアイ。
【請求項４】
請求項１〜３の何れか一項に記載の電力ケーブル用プーリングアイにおいて、
前記穴部の中心軸線を前記導体挿入孔及び前記大径部の中心軸線に対して偏芯させる
ことを特徴とする電力ケーブル用プーリングアイ。
【発明の詳細な説明】
【技術分野】
【０００１】
本発明は、電力ケーブルに対する牽引端末としての電力ケーブル用プーリングアイに関する。
【背景技術】
【０００２】
従来のケーブル牽引端末としてのプーリングアイは、金属製のスリーブと、このスリーブを保持するプーリングアイ本体とを備えて構成されている（例えば下記特許文献１参照）。スリーブは、有底筒状に形成される導体固定部と、プーリングアイ本体に保持される部分としての保持部とを有している。導体固定部の底の反対側には、導体導入孔が形成されている。導体固定部は、導体挿入孔の開口状態が上記底まで真っ直ぐに続くような形状に形成されている。導体固定部は、圧縮処理を施す部分として形成されている。
【０００３】
上記構成において、ケーブル導体をケーブルシースから所定量突出させてなる電力ケーブルを準備し、この後に電力ケーブルのケーブル導体をスリーブの導体固定部に差し込み、導体固定部に圧縮処理を施して６角に圧縮すると、ケーブル導体に対するスリーブの固定が完了する。
【０００４】
プーリングアイを用いると、例えば地下埋設管路内への電力ケーブルの引き込みや、マンション、ビルディング等の高層の建物への電力ケーブルの布設が容易に行えるようになるという利点を有している。
【先行技術文献】
【特許文献】
【０００５】
【特許文献１】特開２００１−２１８３５１号公報
【発明の概要】
【発明が解決しようとする課題】
【０００６】
ところで、上記従来技術にあっては、導体固定部に圧縮処理を施してスリーブとケーブル導体の固定を行うことから、プーリングアイの組み付けに大型の油圧圧縮工具が必要になり、作業に熟練を要するという問題点や、多くの作業工数が掛かってしまうという問題点を有している。
【０００７】
また、上記従来技術にあっては、導体固定部に圧縮処理を施すことから、スリーブの再使用ができないという問題点も有している。
【０００８】
本発明は、上記した事情に鑑みてなされたもので、スリーブの組み付けに熟練を必要とせず容易な作業となり、さらにはスリーブの再使用が可能な電力ケーブル用プーリングアイを提供することを課題とする。
【課題を解決するための手段】
【０００９】
上記課題を解決するためになされた請求項１記載の本発明の電力ケーブル用プーリングアイは、導体挿入孔を有し有底筒状に形成される導体固定部を有するスリーブと、前記スリーブを組み付けるプーリングアイ本体と、を備える電力ケーブル用プーリングアイにおいて、前記導体固定部の内部且つ前記導体挿入孔の奥側に前記導体挿入孔よりも大きな内径を有する大径部を形成し、前記大径部及び前記導体挿入孔の間に段差部を形成し、前記導体挿入孔の反対側に前記大径部に貫通する穴部を形成し、このような前記スリーブに対し、前記大径部に挿入されたケーブル導体を押し広げる楔を更に備え、前記楔を前記穴部に対して着脱自在な形状に形成することを特徴としている。
【００１０】
このような特徴を有する本発明によれば、導体挿入孔を介して電力ケーブルのケーブル導体をスリーブの導体固定部に差し込み、この後に穴部を介して楔を挿入することによってケーブル導体を押し広げると、押し広げられた部分のケーブル導体が導体固定部の内面に押し付け圧着され、スリーブ及びケーブル導体の固定が完了する。ケーブル導体は素線が広がる状態になることから、ケーブル導体を抜く方向の力が掛かった場合でも段差部に引っ掛かって電力ケーブルの抜けが防止される。本発明によれば、楔による押し付け圧着及び段差部による引っ掛かりによって、スリーブとケーブル導体との固定が行われる。
【００１１】
請求項２記載の本発明の電力ケーブルプーリングアイは、請求項１に記載の電力ケーブル用プーリングアイにおいて、前記穴部に雌ネジを形成し、且つ、前記楔に雄ネジを形成することを特徴としている。
【００１２】
このような特徴を有する本発明によれば、楔はスリーブの穴部に螺合され、ケーブル導体に対する楔の意図した進退量によって楔のトルク管理を行うことが可能になる。したがって、楔を引き抜く方向の力が掛かった場合でも、楔は動くことなく確実にケーブル導体を押し広げ続ける。すなわち、楔はケーブル導体を適切な圧着力及び段差部への引っ掛かりによってスリーブに固定し続ける。なお、トルク管理に関しては、後述の発明を実施するための形態の欄において具体的に説明する。
【００１３】
請求項３記載の本発明の電力ケーブルプーリングアイは、請求項２に記載の電力ケーブル用プーリングアイにおいて、前記楔を胴体部及び先端部から形成し、前記胴体部に前記雄ネジを形成し、且つ、前記先端部を、前記大径部に挿入された前記ケーブル導体を押し広げる先細り形状に形成することを特徴としている。
【００１４】
このような特徴を有する本発明によれば、楔の胴体部がスリーブの穴部に螺合され、ケーブル導体に対する楔の意図した進退量によって楔のトルク管理を行うことが可能になり、楔の先端部がケーブル導体を押し広げる。したがって、楔の先端部はケーブル導体を確実に押し広げ、楔を引き抜く方向の力が掛かった場合でも、楔は動くことなく確実にケーブル導体を押し広げ続ける。すなわち、楔はケーブル導体を適切な圧着力及び段差部への引っ掛かりによってスリーブに固定し続ける。なお、トルク管理に関しては、後述の発明を実施するための形態の欄において具体的に説明する。
【００１５】
請求項４記載の本発明の電力ケーブルプーリングアイは、請求項１〜３の何れか一項に記載の電力ケーブル用プーリングアイにおいて、前記穴部の中心軸線を前記導体挿入孔及び前記大径部の中心軸線に対して偏芯させることを特徴としている。
【００１６】
このような特徴を有する本発明によれば、導体ケーブルの素線同士の配列に、崩れ或いは潰れが発生している場合でも、楔は確実にケーブル導体を押し広げる。
【発明の効果】
【００１７】
請求項１に記載された本発明によれば、プーリングアイの組み付けに従来のような大型の油圧圧縮工具を用いないため、作業が容易になるのは勿論のこと、作業工数も削減することができるという効果を奏する。また、本発明によれば、圧縮処理を施す必要性がないことから、スリーブを再使用することができるという効果も奏する。
【００１８】
請求項２〜３に記載された本発明によれば、プーリングアイの組み付け作業が容易になるのは勿論のこと、作業工数も削減することができるという効果を奏する。また、スリーブを再使用することができるという効果も奏する。また、ケーブル導体に対する楔の意図した進退量によってトルク管理を行うことが可能になり、ケーブル導体及びスリーブの適切な圧着力及び段差部への引っ掛かりを得ることができ、電力ケーブルの抜け防止に寄与することができるという効果も奏する。
【００１９】
請求項４に記載された本発明によれば、プーリングアイの組み付け作業が容易になるのは勿論のこと、作業工数も削減することができるという効果を奏する。
【図面の簡単な説明】
【００２０】
【図１】本発明の電力ケーブルプーリングアイの一部断面図である。
【図２】本発明の電力ケーブルプーリングアイのスリーブ、ケーブル導体、及び楔の断面図である。
【発明を実施するための形態】
【００２１】
以下、図面を参照しながら説明する。図１は本発明の電力ケーブルプーリングアイの一部断面図であり、図２は本発明の電力ケーブルプーリングアイのスリーブ、ケーブル導体、及び楔の断面図である。
【００２２】
図１において、電力ケーブルに対する牽引端末としての電力ケーブル用プーリングアイ１は、金属製又は合成樹脂製のスリーブ２と、このスリーブ２を一又は複数保持することが可能なプーリングアイ本体３と、スリーブ２を被覆するカバー４と、スリーブ２に対して着脱可能な楔５とを備えて構成されている。本発明は、スリーブ２及び楔５に特徴がある。
【００２３】
プーリングアイ本体３は、ここでは公知のものが用いられている。プーリングアイ本体３は、スリーブ２を保持する保持部材６と、この保持部材６に一体化するアイナット７とを備えて構成されている。
【００２４】
カバー４は、スリーブ２及び保持部材６を被覆する。カバー４は、ネジ８によって保持部材６に固定されるようになっている。
【００２５】
スリーブ２は、電力ケーブル９のケーブル導体１０に固定される部材であって、有底筒状に形成される導体固定部１１と、保持部材６に保持される保持部１２とを有している。
【００２６】
導体固定部１１は、導体挿入孔１３を有している。導体挿入孔１３は、ケーブル導体１０のサイズに合わせて形成されている。導体固定部１１の内部且つ導体挿入孔１３の奥側には、導体挿入孔１３よりも大きな内径を有する大径部１４が形成されている。大径部１４と導体挿入孔１３との間には、これらの内径差による段差部１５が形成されている。導体挿入孔１３の反対側には、保持部１２から大径部１４に貫通する穴部１６が形成されている。穴部１６の中心軸線Ｌ２は、導体挿入孔１３及び大径部１４の中心軸線Ｌ１に対して偏芯されている。また、穴部１６には雌ネジが形成されている。
【００２７】
図２において、楔５は胴体部１７及び先端部１８を備えて構成されている。胴体部１７は、その外周に雄ネジが形成されたイモネジ形状をしていて、穴部１６に形成された雌ネジと螺合する。先端部１８は、胴体部１７側から先端に向かって先細りとなる円錐形状をしていて、導体挿入孔１３を通じて大径部１４に挿入されたケーブル導体１０を押し広げる。
【００２８】
ここで、先端部１８はケーブル導体１０を押し広げることの出来るものであればよいものとする。例えば、先端部１８は、その先端が胴体部１７よりも幅広形状である一対の弾性板状部材でもあってもよい。すなわち、当該弾性板状部材は穴部１６を通過することによって圧縮され、大径部１４に達したときに圧縮が開放され、自身の弾性を利用してケーブル導体１０を押し広げる。本実施形態においては、先端に向かって先細りとなる円錐形状の先端部１８についてのみ説明する。
【００２９】
図２を参照しながらスリーブ２の具体的な一例を挙げる。大径部１４の内径をφＡ、導体挿入孔１３の内径をφＢ、及びケーブル導体１０の外径をφＣとする。φＡ−φＢは、ケーブル導体１０の公称断面積が１００ｓｑ以下であれば１．０〜１．５ｍｍであり、ケーブル導体１０の公称断面積が１５０ｓｑ以上であれば１．５〜３．０ｍｍであるものとする。また、φＢ及びφＣは略同一であるものとする。さらに、導体挿入孔１３及び大径部１４の中心軸線Ｌ１と、穴部１６の中心軸線Ｌ２との偏芯量Ｌは１．０ｍｍ〜２．０ｍｍであるものとする。
【００３０】
引き続き、図２を参照しながら楔５の具体的な一例を挙げる。胴体部１７は、ケーブル導体１０の公称断面積が１００ｓｑ以下であればＭ５のイモネジを使用し、ケーブル導体１０の公称断面積が１５０ｓｑ以上であればＭ８のイモネジを使用するものとする。ここで、ケーブル導体１０を押し広げるための先端部１８の頂角をθとする。θは２０°〜３０°であるものとする。さらに、楔５の締め付けトルクは、ケーブル導体１０の公称断面積が１００ｓｑ以下でＭ５のイモネジを使用する場合は２００〜２５０Ｎｃｍとし、ケーブル導体１０の公称断面積が１５０ｓｑ以上でＭ８のイモネジを使用する場合は９００〜１０００Ｎｃｍであるものとする。このように、ケーブル導体１０に対する楔５の進退量によってトルク管理を行うことができるので、ケーブル導体１０及びスリーブ２の適切な圧着力及び段差部１５への引っ掛かりを確実に得ることができる。
【００３１】
上記構成において、導体挿入孔１３を通じて電力ケーブル９のケーブル導体１０を、スリーブ２の導体固定部１１の大径部１４に挿入する。この後、穴部１６を通じて楔５をケーブル導体１０にねじ込むように挿入すると、ケーブル導体１０の素線が広がり、導体ケーブル１０の外径φＣが大径部１４の内径φＡまで拡大する。このように、楔５がケーブル導体１０に完全にねじ込まれた状態で、導体ケーブル１０の外径φＣは、先端部１８の円錐の底辺部分において最大５ｍｍ広がる（ケーブル導体１０の公称断面積が１００ｓｑ以下の場合）。したがって、導体ケーブル１０の広がり量が、φＡ−φＢ（１．０〜１．５ｍｍ）に対して十分に大きくなるので、ケーブル導体１０は大径部１４の内面に押し付け圧着され、このようにしてケーブル導体１０の固定が完了する。上述したように、導体固定部１１の大径部１４の内部では、ケーブル導体１０の素線が押し広げられている。したがって、電力ケーブル９を延線するときなどにケーブル導体１０を引き抜く方向の引張荷重が掛かった場合であっても、段差部１５に引っ掛かってケーブル導体１０の抜けが防止される。電力ケーブル９の引き入れ作業が全て終了した後、穴部１６に螺合している楔５を緩めることによって、ケーブル導体１０をスリーブ２から引き抜くことができる。
【００３２】
スリーブ２の固定が完了した後は、電力ケーブル９とスリーブ２との間に防水処理を施して防水処理部１９を形成し、この防水処理を施したスリーブ２をプーリングアイ本体３に組み付けると、電力ケーブル用プーリングアイ１の一連の組み付けが完了する。
【００３３】
以上、本発明によれば、電力ケーブル用プーリングアイ１の組み付けに従来のような大型の油圧圧縮工具を使用しないため、油圧圧縮工具や電源が準備できない工事現場においても、作業が容易になるのは勿論のこと、作業工数も削減することができる。また、本発明によれば、圧縮処理を施す必要がないことから、スリーブ２を再使用することができる。また、上述したようにφＡ−φＢの値を設定するとともに、上述した形状の楔５を使用することによって、従来技術の圧縮加工による圧着力と同等の圧着力を得ることができる。さらに、ケーブル導体１０に対する楔５の意図した進退量によって、楔５のトルク管理を行うことが可能になる。したがって、ケーブル導体１０及びスリーブ２の適切な圧着力及び段差部１５への引っ掛かりを確実に得ることができる。
【符号の説明】
【００３４】
１  電力ケーブル用プーリングアイ
２  スリーブ
３  プーリングアイ本体
４  カバー
５  楔
６  保持部材
７  アイナット
８  ネジ
９  電力ケーブル
１０  ケーブル導体
１１  導体固定部
１２  保持部
１３  導体挿入孔
１４  大径部
１５  段差部
１６  穴部
１７  胴体部
１８  先端部
１９  防水処理部
【図１】
2011234448.tif 000003
【図２】
2011234448.tif 000004